【事件の表示】
　平成１１年特許願第　８９０８５号「弾球遊技機」拒絶査定不服審判事件〔平成１２年１０月１０日出願公開、特開２０００−２７９５８０〕について、次のとおり審決する。
【結　論】
　本件審判の請求は、成り立たない。
【理　由】
１．手続の経緯
　本願は、平成１１年３月３０日の出願であって、平成１３年５月７日付の拒絶理由に対し平成１３年７月１０日付で手続補正がなされ、平成１４年１月３０日付で拒絶査定がなされ、これに対し同年３月７日に拒絶査定に対する審判請求がなされるとともに、同年３月７日付と同年３月２９日付で手続補正がなされたものである。
　　　　　　　　　　
２．平成１４年３月２９日付の手続補正（以下、「本件補正」という。）についての補正却下の決定
［補正却下の決定の結論］
　　平成１４年３月２９日付の手続補正を却下する。
［理由］
（１）本件補正の内容
　本件補正により、特許請求の範囲の請求項１は、
「主に遊技盤(3) 側を制御する主制御基板(33)を備えた弾球遊技機において、各部に電源を供給する電源基板(42)と、球払い出し手段(30)を制御する払い出し制御基板(43)とを含む単機能別の制御基板(10)(33)(35)(37)(42)(43)を制御基板ケース(11)(34)(36)(38)(41)内に備え、前記制御基板ケース(41)はケース本体(46)と、該ケース本体(46)の開口側に着脱自在に嵌合するケース蓋体(47)とを備え、前記ケース本体(46)と前記ケース蓋体(47)との間に、制御基板単位で初期状態にリセット可能なリセットスイッチ(48)が装着された前記制御基板(43)を介在し、前記ケース本体(46)に、その底部(51)が前記制御基板(43)に近接するように前記制御基板ケース(41)内に凹入する操作凹部(50)を前記リセットスイッチ(48)に対応して設け、前記底部(51)に、前記リセットスイッチ(48)の操作部(53)が嵌合して前記操作凹部(50)内に突出する開口孔(52)を形成したことを特徴とする弾球遊技機。」と補正された。
　　　　　　　　
　前記補正は、補正前（平成１３年３月７日付で手続補正により補正された特許請求の範囲）の請求項１に記載された発明を特定するために必要な事項である「前記制御基板(10)(33)(35)(37)(42)(43)に制御基板単位で初期状態にリセット可能なリセットスイッチ(48)を備え、前記制御基板ケース(11)(34)(36)(38)(41)に、該制御基板ケース(11)(34)(36)(38)(41)内に凹入する操作凹部(50)を設け、該操作凹部(50)内の開口孔(52)に前記リセットスイッチ(48)の操作部(53)が嵌合したこと」を「前記制御基板ケース(41)はケース本体(46)と、該ケース本体(46)の開口側に着脱自在に嵌合するケース蓋体(47)とを備え、前記ケース本体(46)と前記ケース蓋体(47)との間に、制御基板単位で初期状態にリセット可能なリセットスイッチ(48)が装着された前記制御基板(43)を介在し、前記ケース本体(46)に、その底部(51)が前記制御基板(43)に近接するように前記制御基板ケース(41)内に凹入する操作凹部(50)を前記リセットスイッチ(48)に対応して設け、前記底部(51)に、前記リセットスイッチ(48)の操作部(53)が嵌合して前記操作凹部(50)内に突出する開口孔(52)を形成したこと」と限定するものであるから、本件補正は、特許法第１７条の２第４項第２号の特許請求の範囲の減縮を目的とするものに該当する。
　　　　　　
　そこで、本件補正後の請求項１に記載された発明（以下、「本願補正発明」という。）が特許出願の際独立して特許を受けることができるものであるのか（平成１５年改正前特許法第１７条の２第５項において準用する同法第１２６条第４項の規定に適合するか）について以下に検討する。
　　　　　　
（２）引用例
　原査定の拒絶の理由に引用された実願平５−２７８４９号（実開平６−８０４７３号）のＣＤ−ＲＯＭ（以下「引用例」という）には、図面とともに以下の記載がある。
　　　　　　
（記載事項ａ）
「【請求項１】  遊技機裏側に装備セットされて所要の電気的部品・手段に係る入出力制御を図り得る電気制御回路装置(G)と、この電気制御回路装置(G)内の回路基盤(24)に付設されて操作時のリセット信号を該回路装置(G)における制御処理部に入力可能とされたリセット操作部(25)と、電気制御回路装置(G)の外装保護部材(26)の内側に支持された遠隔操作部材(31)とを有し、前記遠隔操作部材(31)を常には前記リセット操作部(25)に対する操作前側位置に保持して操作側位置に変位可能に設定し、この遠隔操作部材(31)の外端部側に、前記外装保護部材(26)の外表面に臨んで指先操作し得る操作タッチ部(32)を形成する一方、同部材(31)の内端部側に前記リセット操作部(25)を入力方向へ変位し得る作用部(33)を形成したことを特徴とするパチンコ遊技機における電気制御回路用のリセット操作構造。」（実用新案登録請求の範囲）
　　　　　
（記載事項ｂ）
「この考案は、パチンコ遊技機における電気制御回路用のリセット操作構造に関し、更に詳しくは、遊技機の裏側等に装備セットされている電気的な制御回路装置(基盤)を、トラブルの処理解消後等に元の正常な初期状態に復帰(復旧)させるためのリセット操作構造に関するものである。」（第５頁第４〜７行）
　　　　　
（記載事項ｃ）
「なお、前述のリセット手段については、一般的に、(ａ)リセット操作部が当該の制御回路装置内の回路基盤におけるリセット回路に直接的に接続されているタイプ、(ｂ)リセット操作部が制御回路装置外の近傍部位に付設されて、同回路装置内における回路基盤のリセット回路に接続されているタイプがあり、最近では(ａ)タイプが多く実施されつつある。」（第６頁第７〜１１行）
　　　　　
（記載事項ｄ）
「次に、本考案に係るパチンコ遊技機における電気制御回路用のリセット操作構造につき、好適な実施例を挙げて添付図面を参照しながら以下説明する。なお本実施例のリセット操作構造は、パチンコ機裏側の後述する機構セット盤にセットされたリセット付きの制御回路装置を対象として実施された場合の例を示す。」（第７頁第２８行〜第８頁第２行）
　　　　
（記載事項ｅ）
「そこで先ず、図１に全体が略示される前記機構セット盤Ｆおよび電気制御系統等について要約説明すると、このセット盤Ｆでは、機種別(ゲーム内容別)やサイズ別に区分される全てのパチンコ機Ｐに適合する共通用とされて、図示のように外枠体Ａに組付けられた前枠体Ｂ裏側の遊技盤用保持枠Ｃの背面側にセットされている。そして基本的な構成として、遊技盤Ｄ裏側にセットされた集合カバーＥの開閉に適した窓口１、アウト球用の排出路２、セーフ球用の排出路３およびセーフ球処理装置４、賞球用の貯留容器８、整流樋９および送出樋１０、賞球排出装置１１、賞球排出路１６、球抜き装置１７および球抜き路２１等が成形されると共に組付けセットされている。」（第８頁第４行〜１２行）
　　　　
（記載事項ｆ）
「前述した機構セット盤Ｆに常備セットされる基本的な電気制御系統として、図１中の右上隅部にターミナル基盤Ｔが、また前記窓口１の下方に機械制御用の前記リセット付き制御回路装置Ｇが夫々セットされている。この回路装置Ｇでは、前述したセーフ球処理装置４、賞球排出装置１１および球抜き装置１７における各種の電気的部品・手段の入出力制御そしてエラー検出判定および誤動作防止制御等を図るものである。その基本的な構成として、図２および図３に示すように、前記機構セット盤Ｆの左下方に画成された収納室２２内に着脱可能に係合セットされるケース２３と、このケース２３内に収容固支された回路基盤２４を備えて、収納室２２の開口面全体に合わせて着脱可能に係合セットされる方形状のカバー部材２６で覆蓋保護されている。そして回路基盤２４においては、前述の各装置４,１１,１７における電気的部品・手段５,７,１３,１４,１５,１８,１９に係るコネクターおよび入出力制御回路等が接続・構成されると共に、リセット入力操作用手段としてリセット回路のスイッチ接続端子に対して押込み復帰タイプのスイッチボタン(リセットボタンともいう)２５が付設接続されている。」（第８頁第２７行〜第９頁第１１行）
　　　　　　
（記載事項ｇ）
「前述したような電気制御系統を常備セットした機構セット盤Ｆにあって、本実施例のリセット操作構造は、前記リセット付き制御回路装置Ｇを対象として遠隔操作形式であって、図２、図３および図４に示すように、前記カバー部材２６の内側にリセット用の遠隔操作部材３１が装着されている。すなわちこの操作部材３１は、適宜弾力性を有する合成樹脂製の帯杆状に成形されたもので、その内端(図３中右端)をカバー部材２６内側の取着部３４にねじ止めして水平片持ち状態で内外方向(図３中上下方向)に弾性的に変位できるようになっている。そしてこの部材３１の外端部(図２および図３中左端部)に、指先操作し得るタッチ操作部３２が外向きに突出されてカバー部材２６の口３５から背面側に臨んでいる。また、操作部材３１における内端部側(図２および図３中右側)に、作用部３３が内向きに突出されて、前記リセットボタン２５を直接押込み得る対向部位に臨んでいる。
      【００１５】
    【実施例の作用】
  前述のように構成された本実施例のリセット操作構造では、通常の条件において、図３に示すように、遠隔操作部材３１が前記制御回路装置Ｇにおけるリセットボタン２５に対する操作前状態に静止保持されており、このもとで同部材３１を押込み操作するだけでリセット操作し得る。すなわち、前記機構セット盤Ｆのセーフ球処理装置４、賞球排出装置１１、球抜き装置１７等において、何らかの事態によりトラブル(異常作動)等が発生した場合、制御回路装置Ｇの制御処理部(ＣＰＵ：中央演算処理部)では、このトラブルをエラー検出判定して、直ちに制御系全体の指令、作動を停止(不能化)することになる。従って前記トラブルに対する適切な解消処置が施された以後には、制御回路装置Ｇの制御処理部および制御系全体を再び元の正常な初期状態に復旧させるためのリセット信号を入力させることが必要となる。
      【００１６】
  このようなリセット操作の必要時において、本実施例のリセット操作構造では、カバー部材２６および遊技制御用の制御回路装置Ｇを一々取外さず、図１に略示する装着セット状態にしたままにおいて、カバー部材２６の背面側に臨んでいる遠隔操作部材３１のタッチ操作部３２を指先で軽く押込む。これにより同部材３１全体が、図３に二点鎖線で示す如く、収納室２２の内側へ弾性変形して、その作用部３３を前記リセットボタン２５の頭部に当接したまま押込むことになる。この結果、リセットボタン２５が回路接続側位置に変位されることにより、回路基盤２４のリセット回路を介してリセット信号(通電信号)が、制御回路装置Ｇの制御処理部に入力されて、同処理部が正常状態に復旧される。
      【００１７】
  そして前記タッチ操作部３２を解放すれば、遠隔操作部材３１が自己の弾性力で元の通常(操作前)状態に復帰保持されて、作用部３３をリセットボタン２５から離隔させる。これによりリセットボタン２５は、作用部３３からの解放に伴い自己の復元力で元の回路接続前位置に復帰される。
      【００１８】
  このように本実施例のリセット操作構造によれば、機構セット盤Ｆの背面側からみてリセットボタン２５が、内側の隠れた部分に位置して直接操作し難い状態、条件にあっても、このリセットボタン２５から遠隔された操作し易い側に位置する遠隔操作部材３１のタッチ操作部３２を単に指先で操作することにより、作用部３３でリセットボタン２５を手早く容易にかつ適正に操作することができるものである。」（第９頁第２１行〜第１１頁第９行）
　　　　　　
　これらの記載を勘案すれば、引用例には、次の発明（以下、「引用発明」という。）が記載されていると認められる。
　　　　　　
「遊技盤Ｄを備えたパチンコ遊技機において、回路基盤２４をケース２３内に備え、ケース２３は、初期状態にリセット可能なリセットボタン２５が付設接続された回路基盤２４を備え、リセットボタン２５を、リセット用の遠隔操作部材３１を介してタッチ操作部３２により操作するパチンコ遊技機。」
　　　　　
（３）対比
　そこで、本願補正発明と引用発明に記載の発明とを比較すると、引用発明の、ａ「遊技盤Ｄ」、ｂ「回路基盤２４」、ｃ「ケース２３」、ｄ「リセットボタン２５」、ｅ「付設接続」、ｆ「タッチ操作部３２」、ｇ「パチンコ遊技機」は、本願補正発明のａ「遊技盤(3)」、ｂ「制御基板(10)(33)(35)(37)(42)(43)」又は「制御基板(43)」、ｃ「制御基板ケース(11)(34)(36)(38)(41)」又は「制御基板ケース(41)」、ｄ「リセットスイッチ(48)」、ｅ「装着」、ｆ「操作部(53)」、ｇ「弾球遊技機」に相当する。
　　　　　
　よって、両者は、
　　　　　
「遊技盤(3)を備えた弾球遊技機において、制御基板(10)(33)(35)(37)(42)(43)を制御基板ケース(11)(34)(36)(38)(41)内に備え、制御基板ケース(41)は、初期状態にリセット可能なリセットスイッチ(48)が装着された制御基板(43)を備え、リセットスイッチ(48)を操作部(53)により操作する弾球遊技機。」
　　　　　
である点で一致し、以下の点で相違する。
　　　　　
相違点１
　本願補正発明では、遊技盤(3)側を制御する主制御基板(33)を備えているのに対し、引用発明では、遊技盤(3)側を制御する主制御基板(33)について格別明記されていない点。
　　　　　
相違点２
　本願補正発明では、各部に電源を供給する電源基板(42)と、球払い出し手段(30)を制御する払い出し制御基板(43)とを含む単機能別の制御基板(10)(33)(35)(37)(42)(43)を制御基板ケース(11)(34)(36)(38)(41)内に備え、制御基板ケース(41)は、ケース本体(46)と、該ケース本体(46)の開口側に着脱自在に嵌合するケース蓋体(47)とを備え、前記ケース本体(46)と前記ケース蓋体(47)との間に、制御基板単位で初期状態にリセット可能なリセットスイッチ(48)が装着された前記制御基板(43)を介在し、前記ケース本体(46)に、その底部(51)が前記制御基板(43)に近接するように前記制御基板ケース(41)内に凹入する操作凹部(50)を前記リセットスイッチ(48)に対応して設け、前記底部(51)に、前記リセットスイッチ(48)の操作部(53)が嵌合して前記操作凹部(50)内に突出する開口孔(52)を形成したのに対し、引用発明では、制御基板(10)(33)(35)(37)(42)(43)が、各部に電源を供給する電源基板(42)と、球払い出し手段(30)を制御する払い出し制御基板(43)とを含む単機能別のものであるかどうかが不明であり、制御基板ケース(41)は、ケース本体(46)と、該ケース本体(46)の開口側に着脱自在に嵌合するケース蓋体(47)とを備えておらず、ケース本体(46)と前記ケース蓋体(47)との間に、制御基板単位でリセット可能な前記制御基板(43)を介在しておらず、前記ケース本体(46)に、その底部(51)が前記制御基板(43)に近接するように前記制御基板ケース(41)内に凹入する操作凹部(50)を前記リセットスイッチ(48)に対応して設けておらず、前記底部(51)に、前記リセットスイッチ(48)の操作部(53)が嵌合して前記操作凹部(50)内に突出する開口孔(52)を形成していない点。
　　　
　　　
（４）判断
　前記相違点１、２について検討する。
　　　
　相違点１について検討する。
主制御基板により主に遊技盤(3)側を制御する弾球遊技機は周知技術（以下、「周知技術Ａ」という。）（例えば、特開平３−２８６７９０号公報（遊技制御回路基板６９）、特開平１０−８５４２１号公報（遊技制御基板６７）を参照。）である。そして、弾球遊技機は遊技盤(3)側を制御する必要があるし、引用発明においても、遊技盤(3)側を制御しているはずだから、遊技盤(3)側を制御する手段として、前記周知技術である主制御基板を採用することは、当業者が適宜なし得る設計的事項にすぎない。
　　　
　相違点２について検討する。
　制御基板ケース(11)(34)(36)(38)(41)が、制御基板(10)(33)(35)(37)(42)(43)を内に備え、ケース本体(46)と、該ケース本体(46)の開口側に嵌合するケース蓋体(47)とを備え、前記ケース本体(46)と前記ケース蓋体(47)との間に、スイッチが装着された制御基板(43)を介在し、前記ケース本体(46)に、その底部(51)が前記制御基板(43)に近接するように前記制御基板ケース(41)内に凹入する操作凹部(50)を前記スイッチに対応して設け、前記底部(51)に、前記スイッチ(48)の操作部(53)が嵌合して前記操作凹部(50)内に突出する開口孔(52)を形成した、スイッチを有するケース構造は周知技術（以下、「周知技術Ｂ」という。）（例えば、実願昭６２−２２１３１号（実開昭６３−１３０８２４号）のマイクロフィルム、実願昭６２−８０８０号（実開昭６３−１１８６２５号）のマイクロフィルム、実願平１−１１４３８６号（実開平３−５４０２８号）のマイクロフィルム、実願昭５８−８１９４３号（実開昭５９−１８６９２４号）のマイクロフィルム（第１頁第１７行〜第２頁第１１行）、実公平２−２４１７３号公報を参照。）である。
　また、当該制御基板をリセット可能（つまり、制御基板単位でリセット可能）なリセットスイッチを制御基板(43)に設けることは周知技術（以下、「周知技術Ｃ」という。）（例えば、特開平４−８２５８１号公報（景品玉払出制御基板９７にリセットスイッチ１００を設けた点）、特開平１０−２３４９６７号公報（払出制御回路基板１０４にリセットスイッチを設けた点）、特開平９−２９９５７２号公報（賞球払出し用基盤５３にリセットスイッチ５６を設けた点）、特開平８−３０９０１５号公報（制御基板１４５にリセットスイッチ１５０を設けた点）、特公平５−７０３０号公報（制御基板にリセットスイッチ７００を設けた点）を参照。）である。
　また、一般にケースと蓋とを着脱自在に嵌合させることは、周知例を提示するまでもなく周知技術（以下、「周知技術Ｄ」という。）である。
　また、各部に電源を供給するというひとまとまりの機能を電源基板(42)として１つにまとめることは、パチンコ弾球遊技機の技術分野において周知技術（以下、「周知技術Ｅ」という。）（例えば、特開平１０−３０５１４８号公報、特開平１０−２４１５５号公報を参照。）である。
　また、弾球遊技機において、球払い出し手段(30)を制御するというひとまとまりの機能を払い出し制御基板(43)として１つにまとまめることは周知技術（以下、「周知技術Ｆ」という。」）（例えば、特開平３−２８６７９０号公報（景品玉払出制御基板７０）を参照。）である。
　　　　
　してみると、引用発明において、制御基板ケース(11)(34)(36)(38)(41)又は制御基板ケース(41)、リセットスイッチ(48)が装着された制御基板(10)(33)(35)(37)(42)(43)又は制御基板(43)、及び、リセットスイッチ(48)の操作部(53)として、前記周知技術Ｂの、スイッチを有するケース構造を採用すること、及び、その採用に当たっては、スイッチを、前記周知技術Ｃの如く制御基板(43)を制御基板単位でリセット可能なリセットスイッチとし、前記周知技術Ｄの如くケース（ケース本体(46)）と蓋（ケース蓋体(47)）とを着脱自在に嵌合させ、制御基板(10)(33)(35)(37)(42)(43)を、前記周知技術Ｅ、Ｆの如く電源基板(42)と払い出し制御基板(43)とを含む単機能別の制御基板(10)(33)(35)(37)(42)(43)とする設計変更を加味することは、当業者が容易に想到できることである。
　　　　
（５）本願補正発明の作用効果について 
　本願発明の奏する効果は、前記引用発明に前記周知技術Ａ〜Ｆを適用したものから当業者が容易に予測し得るものであって、格別顕著なものではない。
　　　　　
　よって、本願補正発明は、引用例記載の発明及び周知技術Ａ〜Ｆに基づいて当業者が容易に発明をすることができたものであるから、特許法第２９条第２項の規定により特許出願の際独立して特許を受けることができない。
　　　　　
（６）むすび
　以上のとおり、本件補正は、平成１５年改正前特許法第１７条の２第５項において準用する特許法第１２６条第４項の規定に違反するものであり、特許法第１５９条第１項で読み替えて準用する特許法第５３条第１項の規定により却下されるべきものである。
　　　　　
３．本願発明について
（１）本願発明
　平成１４年３月２９日付の手続補正は上記のとおり却下された。
そして、平成１４年３月７日付けの手続補正は、請求項２及び３を削除するものであって、特許法第１７条の２第４項第１号に規定される事項を目的とするものに該当し、特許法第１７条の２第４項の規定に適合する。
よって、本願の請求項１に係る発明（以下、「本願発明」という。）は、平成１３年７月１０日、平成１４年３月７日付手続補正書により補正された明細書の記載からみて、特許請求の範囲の請求項１に記載された次のとおりのものである（以下、「本願発明」という。）。
　　　　　　
「主に遊技盤(3) 側を制御する主制御基板(33)を備えた弾球遊技機において、各部に電源を供給する電源基板(42)と、球払い出し手段(30)を制御する払い出し制御基板(43)とを含む単機能別の制御基板(10)(33)(35)(37)(42)(43)を制御基板ケース(11)(34)(36)(38)(41)内に備え、前記制御基板(10)(33)(35)(37)(42)(43)に制御基板単位で初期状態にリセット可能なリセットスイッチ(48)を備え、前記制御基板ケース(11)(34)(36)(38)(41)に、該制御基板ケース(11)(34)(36)(38)(41)内に凹入する操作凹部(50)を設け、該操作凹部(50)内の開口孔(52)に前記リセットスイッチ(48)の操作部(53)が嵌合したことを特徴とする弾球遊技機。」
　　　　
（２）引用例
　原査定の拒絶の理由に引用された引用例、および、その記載事項は、前記「２．（２）」に記載したとおりである。
　　　　
（３）対比・判断
　本願発明は、前記２．で検討した本願補正発明からケース(41)の限定事項であるケース本体(46)及びケース蓋体(47)についての構成を省き、制御基板(43)の限定事項である前記ケース本体(46)と前記ケース蓋体(47)との間に介在についての構成を省き、底部(51)の凹入についての限定事項である制御基板(43)に近接についての構成を省き、開口孔(52)についての限定事項である操作凹部(50)内に突出についての構成を省いたものである。
　そうすると、本願発明の構成要件を全て含み、さらに他の構成要件を付加したものに相当する本願補正発明が、前記「２．（４）」に記載したとおり、引用例、及び、周知技術Ａ〜Ｆに基づいて、当業者が容易に発明をすることができたものであるから、本願発明も、同様の理由により、引用例、及び、周知技術Ａ〜Ｆに基づいて、当業者が容易に発明をすることができたものである。
　　　　　　
（４）むすび
　以上のとおり、本願発明は、引用例記載の発明、及び、周知技術Ａ〜Ｅに基づいて、当業者が容易に発明をすることができたものであるから、特許法第２９条第２項の規定により特許を受けることができない。
　よって、結論のとおり審決する。